(57)【特許請求の範囲】
【請求項１】
人体の複数組の左右経穴にそれぞれ対応して取り付けられる複数組の第１および第２の電極と、
対応する前記第１および第２の電極で検出された電位の電位差をとり、この電位差をデジタル信号として出力する電位差計と、
前記デジタル信号から、人体の歯の咬合に関する情報を含むデータを演算する演算装置とを備え、
前記複数個の左右経穴は、耳の近くに存在する経穴である左右の聴宮、手の指に存在する経穴である左右の大腸経、足の指に存在する経穴である左右の胃経であり、
前記歯の咬合に関する情報を含むデータは、前記電位差を表す表および／またはグラフであることを特徴とする咬合診断装置。
【請求項２】
人体の複数組の左右経穴にそれぞれ対応して取り付けられる複数組の第１および第２の電極と、
対応する前記第１および第２の電極で検出された電位の電位差をとり、この電位差をデジタル信号として出力する電位差計と、
前記デジタル信号から、人体の歯の咬合に関する情報を含むデータを演算する演算装置とを備え、
前記複数個の左右経穴は、耳の近くに存在する経穴である左右の聴宮、手の指に存在する経穴である左右の大腸経、足の指に存在する経穴である左右の胃経であり、
前記歯の咬合に関する情報を含むデータは、歯の咬合変化時と安静時との有意差を示す統計データであることを特徴とする咬合診断装置。
【請求項３】
人体の複数組の左右経穴にそれぞれ対応して取り付けられる複数組の第１および第２の電極と、
対応する前記第１および第２の電極で検出された電位の電位差をとり、この電位差をデジタル信号として出力する電位差計と、
前記デジタル信号から、人体の歯の咬合に関する情報を含むデータを演算する演算装置とを備え、
前記複数個の左右経穴は、耳の近くに存在する経穴である左右の聴宮、手の指に存在する経穴である左右の大腸経、足の指に存在する経穴である左右の胃経であり、
前記歯の咬合に関する情報を含むデータは、前記歯の咬合の変化に対応した３次元座標上に表示される前記電位差であることを特徴とする咬合診断装置。
【請求項４】
人体の複数組の左右経穴にそれぞれ対応して取り付けられる複数組の第１および第２の電極と、
対応する前記第１および第２の電極で検出された電位の電位差をとり、この電位差をデジタル信号として出力する電位差計と、
前記デジタル信号から、人体の歯の咬合に関する情報を含むデータを演算する演算装置とを備え、
前記複数個の左右経穴は、耳の近くに存在する経穴である左右の聴宮、手の指に存在する経穴である左右の大腸経、足の指に存在する経穴である左右の胃経であり、
前記歯の咬合に関する情報を含むデータは、前記歯の咬合の変化に対応した３次元座標上に表示される顎関節の位置であることを特徴とする咬合診断装置。
【発明の詳細な説明】
【０００１】
【発明の属する技術分野】
本発明は、咬合診断装置、特に、東洋医学における経穴（いわゆるツボ）の電位の変化から咬合、いわゆる歯の噛み合わせの正常・異常を診断する装置に関する。さらには、咬合を変化させたときの左右経穴の電位差、有意差、顎関節位置などのデータを測定する方法に関する。
【０００２】
【発明が解決しようとする課題】
咬合異常が、心臓病，頭痛，不定愁訴，胃腸病等、多くの病気の遠因になることが知られてきている。咬合を正常に治療することは歯科治療で行われているが、現在まで、歯科治療で咬合が正常であるかどうかの基準がなく、歯科治療によって咬合が正常になったかどうかを判定することが困難であった。
【０００３】
したがって、咬合の正常・異常を診断できる電気的装置の開発が要求されている。
【０００４】
本発明の目的は、このような要求に答え、咬合の正常・異常を診断できる咬合診断装置を提供することにある。
【０００５】
本発明の他の目的は、このような咬合診断装置において、咬合データを測定する方法を提供することにある。
【０００６】
【課題を解決するための手段】
本出願の発明者は、特定の経穴（井穴および聴宮）における電位の変化により咬合の正常・異常を診断できることを見い出し、咬合が正常か異常かを診断する診断装置および咬合データ測定方法を開発した。
【０００７】
耳の近くに存在する経穴である左右の聴宮、手足の指に存在する経穴である左右の井穴に電極を取り付け、咬合診断装置により電位差を測定する。顎関節，下顎，上顎は、それぞれ電位を示すので、顎関節，上顎，下顎を、前後，左右，上下に動かして、咬合に異常がなければ、前後，左右，上下の各運動における各測定点の左右電極の電位差は０に近い。もし何れかに異常があれば、咬合異常のある部位の電位変化が経絡を通じて、測定点である井穴および聴宮に興奮を生ぜしめ、電位差に負あるいは正の変化を示す。それによって、咬合異常がどこにあるかを診断することができる。
【０００８】
【発明の実施の形態】
まず、電位差を測定する測定点について説明する。
（１）左右聴宮（小腸経経穴）の２点。聴宮は、図１に示すように、顎関節の真上の皮膚上にあり、顎関節の正常・異常（緊張）を、診断する測定点である。
（２）左右胃経（胃経井穴）の２点および左右大腸経（大腸経井穴）の２点、胃経は、足第２指の爪の根元にある井穴であり、大腸経は手第２指の爪の根元にある井穴である。図２（Ａ），（Ｂ）に、これら胃経および大腸経の位置を示す。
【０００９】
上顎と胃経、下顎と大腸経の間には密接な関係のあることが、多くの実験で確かめられている（本山博、尾澤文貞による協同研究『ＡＭＩによる神経と経絡の研究』第IV章「咬合治療の効果」１３１頁〜１４３頁［宗教心理出版１９８７］）。なお、大腸経，胃経は、「歯脈」とも呼ばれている。
【００１０】
下顎の咬合変化は、大腸経井穴にＢＰ電流値の変化として現れ、上顎の咬合変化は胃経井穴にＢＰ電流値の変化として現れることが知られている。図３および図４は、ＡＭＩ（経絡−臓器機能測定器）で胃経井穴，大腸経井穴に電極を置き、咬合を変化させて、各井穴におけるＢＰ電流値の変化を調べたデータである。なお、ＢＰ電流値は、皮膚刺激に対して表皮基底膜で分極が生じる前に真皮内を流れる電流の値であり、経絡機能のパラメータである。
【００１１】
図３および図４において、系列１は右胃経のＢＰ値を、系列２は左胃経のＢＰ値を、系列３は右大腸経のＢＰ値を、系列４は大腸経のＢＰ値をそれぞれ示している。
【００１２】
図３のデータは、歯の噛み合わせ位置を前後に変化させた場合のデータ、図４は噛み合わせた状態で、下顎を前後にずらした場合のデータを示している。図３および図４に示した、咬合変化による大腸経，胃経でのＢＰ変化は、＋側（ＢＰ増加）、−側（ＢＰ減少）の両方向の変化を、咬合の違いで示している。
【００１３】
本願発明者は、さらに聴宮（顎関節に対応），大腸井穴（下顎に対応），胃井穴（上顎に対応）での変化は、神経性のものか、経絡性のものかを確かめる実験を行った。
【００１４】
咬合変化による刺激が、顎関節の真上の皮膚上にある聴宮、手第２指の爪の根元にある大腸経井穴、足第２指の根元にある胃井穴の電位が＋あるいは−の変化を示すかどうか、それは神経系情報伝達による変化か、経絡系情報伝達による変化か、１１人の被験者について以下の方法で調べた。
【００１５】
この方法には、本発明の咬合診断装置を用いた。図５には、咬合診断装置の基本的構成をブロック図で示す。この咬合診断装置は、基本的には、電位差計８と演算装置２０とから構成される。
【００１６】
電位差計８は、高インピーダンスアンプ１０，差動アンプ１２，絶縁アンプ１４，ローパスフィルタ１６，Ａ／Ｄコンバータ１８から構成される。また、演算装置２０は、パーソナルコンピュータ（ＰＣ）により構成される。
【００１７】
高インピーダンスアンプは、＋側電極２と−側電極４とからなる複数組の測定電極と、１個のアース電極６とを備えている。
【００１８】
図６は、咬合診断装置の回路図を示す。なお、図６では、電位差計は、図面を簡単にするため、１組の測定電極２，４に対する回路のみを示している。なお、電位差計８は、既存のものを用いることができる。
【００１９】
上述の咬合診断装置を用いて、初めに電位差計を０点調節にし、次に＋側，−側電極２，４間にゲル電極糊を挟んで０点調節する。次に、２つの電極のうち、−側電極４はアースにショートして、＋側電極２のみを左聴宮，左胃経井穴，左大腸系井穴に貼付して、下顎を噛みしめる，開ける，左，右，前，後に動かして咬合を変化させ、その咬合変化による刺激が上記の３測定点で、負あるいは正、あるいは両方の電位変化を生ぜしめるか、生ぜしめないかを調べた。
【００２０】
もし神経反応であれば、神経興奮による電位変化は恒に負電位変化であるから、３測定点で全て負電位変化として現れるはずである。経絡性変化であれば、負あるいは正の電位変化として現れる。経絡反応の特徴は、神経の反応のように、刺激を感じなければ全く反応が出ないのとは違って、刺激が弱く感じられなくても、或る微弱な刺激、例えば咬合変化のような、何の痛みも感じない刺激であっても、反応を示すことである。
【００２１】
１１人の被験者に咬合変化テストをして得た各測定点での＋変化，−変化の度数を表１に示す。１人の被験者で、各測定点で＋変化，−変化，両方を示したものはその両方を度数に加えた。
【００２２】
【表１】
0003701586.tif 000002
【００２３】
表２は、各被験者Ａ〜Ｋの電位変化の様子を示す。
【００２４】
【表２】
0003701586.tif 000003
【００２５】
上記１１人の被験者の、前後，左右，上下への下顎のずれによる咬合変化刺激に対しての聴宮（顎関節），胃井穴（上顎），大腸井穴（下顎）での＋あるいは−の電位変化を表にしたのが表３である。これをｍ×ｎの分割表でχ2 テストしても、表３に見られるように、＋変化度数と−変化度数がほぼ同じであり、＋変化，−変化，無変化の間に有意差が見られない。これは、咬合変化刺激によって生じる変化は、常に−電位変化を示す神経性反応による変化ではないことを示す。
【００２６】
経絡情報系では、既述のように、＋変化，−変化の両方向の変化が見られるので、３つの測定点での変化は経絡系による変化と考えられる。
【００２７】
【表３】
0003701586.tif 000004
【００２８】
各人のデータを通じて、咬合変化をするたびに顎関節反応点（聴宮），上顎反応点（胃経井穴），下顎反応点（大腸経井穴）で、＋変化あるいは−変化がみられる。このことは、上顎，下顎での咬合変化が神経系とは異なる経絡を通して、聴宮，胃経井穴，大腸経井穴で数秒の間に電位変化を生ぜしめることを示している。その理由は、上顎，下顎，顎関節は神経的には三叉神経の支配領域であり、大腸経井穴，胃経井穴は三叉神経分布とは直接関係がないからであり、経絡的には上顎は胃経、下顎は大腸経の支配を受ける。また、聴宮での電位変化も＋，−の変化がみられるから、これも神経性のものではなく、経絡系変化と考えられる。
【００２９】
現在までの研究では、前述したように、経絡系における変化はＢＰ電流値によって、上顎の咬合変化は胃経井穴に、下顎の咬合変化は大腸経井穴に現れることが今までの経絡研究で確かめられていたが、以上の測定のデータからも、咬合変化が胃，大腸の井穴および聴宮で、＋，−の電位変化として現れることが確かめられた。
【００３０】
図７は、被験者Ｂの咬合診断装置の出力波形を示す。この被験者の場合、上顎犬歯で差し歯になっているが、そのために上顎に異常が考えられるが、咬合変化（噛みしめる→口をあける→下顎を左にずらす→下顎を右にずらす→下顎を前にずらす→下顎を後にずらす）によって、上顎咬合に関係する胃経では大きな＋電位変化が見られる。聴宮では、噛みしめた後、最後まで−０．００２Ｖの−電位変化が見られる。
【００３１】
図８は、被験者Ｇの咬合診断装置の出力波形を示す。この被験者の場合、咬合変化のたびに大腸経で顕著な＋電位変化がみられる。聴宮では、後ろへずらすと−０．０２Ｖで、−電位変化が生じている。
【００３２】
図９は、被験者Ｇの咬合診断装置の出力に基づいて、有意差をみるためのｔ−検定を行った結果を示す。このｔ−検定は、パーソナルコンピュータ２０により行われる。図９（Ａ）は、噛みしめたときのｔ−検定の結果を、図９（Ｂ）は、下顎を後ろにずらしたときのｔ−検定の結果を示す。
【００３３】
図１０は、被験者Ａの咬合診断装置の出力を示す。この被験者では、咬合変化に対して＋，−電位変化があまり見られないが、顎関節，上顎，下顎共に咬合変化に対して僅かの＋あるいは−の電位変化、０．００１Ｖ以下あるいは無変化を示している。
【００３４】
以上のようにして、聴宮，胃経，大腸経の測定点における電位変化が経絡系によるものであることが確かめられた。
【００３５】
次に、本発明の実施例について詳細に説明する。本発明の咬合診断装置は、図５および図６に示したものである。以下に説明する咬合データ測定方法については、この咬合診断装置を利用して行う。
【００３６】
まず、電位差計において、＋側電極２と−側電極４の間にゲル電極糊を挟んで０点調節をする。次に、＋側電極２を聴宮，大腸経井穴，胃経井穴の左側に付ける。−側電極４をそれぞれの右側に付ける。アース電極６を手首に取り付ける。そして、左右聴宮の電位差，左右大腸経井穴の電位差，左右胃経井穴の電位差を同時に測定する。この場合、０．１秒単位で連続測定し、１秒単位で測定値をコンピュータ２０に取り入れる。
【００３７】
電位差計８では、＋側電極２と−側電極４が検出した測定点の電位を高インピーダンスアンプ１０で増幅した後、差動アンプ１２で電位差をとる。電位差は、絶縁アンプ１４を経て、ローパスフィルタ１６に送られ、高周波成分を除去した後、Ａ／Ｄコンバータ１８でアナログ信号をデジタル信号に変換し、パーソナルコンピュータ２０に供給する。
【００３８】
測定は、次のような順序で行う。（１）最初、咬合変化なしで測定、コントロール（３０秒間）、（２）噛みしめる（３０秒間測定）、（３）コントロール（３０秒）、（４）口を開ける（３０秒）、（５）コントロール（３０秒）、（６）左に下顎をずらす（３０秒）、（７）コントロール（３０秒）、（８）右に下顎をずらす（３０秒）、（９）コントロール（３０秒）、（１０）下顎を前にずらす（３０秒）、（１１）コントロール（３０秒）、（１２）下顎を後ろにずらす（３０秒）。なおここで、コントロールとは、安静状態をいう。
【００３９】
連続データはパーソナルコンピュータ２０にインストールしたソフトプログラムに従って、図８，図１０で示したような波形グラフとして取り出される。また、１秒毎の測定値（電位差）は、コントロール時の３０秒間測定値と、３０秒間咬合変化時の測定値とを、パーソナルコンピュータにインストールしたプログラムに従ってｔ−検定をし、表（後述する図１５に示すような）として出力する。
【００４０】
以上のようにして取り出されたグラフおよび／または表に基づいて、咬合の正常・異常の診断は、パーソナルコンピュータにインストールしたソフトプログラムにより行われる。
【００４１】
このようなソフトプログラムにおける咬合診断の基準は、次のとおりである。
１）初めのコントロール時（安静時）の−，＋電位差が±０．００５Ｖ（５０ｍＶ）以上を、緊張，咬合の異常とみなし、それ以下は正常とみなす。
２）噛みしめる、口を開ける、下顎を前・後・左・右にずらす等の咬合変化時に、聴宮，胃井穴，大腸井穴の何れかで、それぞれのコントロール時の電位差と咬合変化時の電位差との間に有意差（ｔ−検定）がみられると、咬合異常と判定する。
３）咬合に異常がなければ、咬合変化によって大きな変化はみられず、波形グラフの基線は０Ｖに近いところにある。
【００４２】
以上のような診断基準に基づくプログラムによる診断方法を説明する。
１）コントロール時（安静時）の顎関節、上・下顎の咬合の正常・異常の判定
顎関節、上・下顎の左右電極間の電位差が±０．００５Ｖ（５０ｍＶ）以下の範囲であれば正常と判定する。＋側または−側で絶対値がそれ以上ならば、咬合異常と判定する。
２）咬合変化時の判定
噛みしめる、口を大きく開ける、下顎を左あるいは右にずらす、前あるいは後にずらす等、咬合を変化させることによって、左右聴宮，左右胃経井穴，左右大腸経井穴間の何れかで電位差が−側あるいは＋側に振れて、ｔ−検定による有意差が見られる場合、ｔ−検定で有意差の見られる咬合変化において、聴宮ならば顎関節に異常、胃経井穴ならば上顎に咬合異常、大腸経井穴ならば下顎に咬合異常があると判定する。
【００４３】
総合的判定としては、３つの測定点で上下・前後・左右に咬合を変化させて、胃経井穴で最大，最多の電位差変化が生じれば、上顎で咬合異常が最大であると判定する。大腸井穴，聴宮についても同様に判定する。
【００４４】
但し、聴宮の場合は、経絡反応による電位差変化のみでなく、顎関節に異常があり、その顎関節周囲の筋肉に緊張がある場合は、咬合変化でその筋肉に−電位が生じると予想される。データを後で示す。
【００４５】
次に、各被験者のデータを示して、診断の実例を示す。
【００４６】
図１２，図１３は、被験者Ｉの出力波形を示す図である。図１２を見ると、初めのコントロール時に大腸井穴で＋０．０５Ｖ（＋５０ｍＶ）以上である。図１３を見ると、やはり初めのコントロール時に聴宮で−０．５６Ｖと、大きく−側にずれている。以上のことは、この被験者は、下顎と顎関節に異常があると考えられる。下顎を前にずらすと、聴宮で０．０２Ｖ大きく−側に振れる。この場合は、右顎関節周囲の筋肉に−電位が生じ、＋側に振れたものであるから、右顎関節に異常ありと判定する。なお、この電位差計では、左側電極が＋、右側電極が−であるから、左側に−電位変化が生じれば電位差は−変化となり、右側が−電位変化を生じれば電位差は＋変化となる。
【００４７】
図１４は、被験者Ｋの出力波形を示す図である。この被験者は、右下奥歯を抜歯しており、咬合はガタガタであった。最初のコントロールから噛みしめる，口を開けるまでは変化がないが、下顎を左右，前後にずらすと、顎関節，上顎，下顎共に著しく（約０．０２Ｖ〜０．０２５Ｖ以上）＋側に電位差変化が生じている。これは咬合全体が異常であることを示す。聴宮の＋電位差変化から、右顎関節に咬合異常が考えられる。
【００４８】
図１５は、この被験者のｔ−検定の結果を示すデータである。（Ａ）は聴宮に対するデータを、（Ｂ）は胃井穴に対するデータを、（Ｃ）は大腸井穴に対するデータを、それぞれ示す。
【００４９】
図１６は、被験者Ｌ（表２には記載されていない）の出力波形を示す図である。この被験者は、両側の親知らずを抜歯済みであった。コントロール，咬合変化の全てで＋，−の変化が０．００２〜０．０１５Ｖの範囲で見られるが、基線は０Ｖを中心に±０．００２Ｖにあり、全体として咬合には異常がないことがわかる。
【００５０】
図１７，図１８は、被験者Ｈの出力波形を示す図である。図１７を見ると、聴宮は−０．０２５Ｖで、咬合変化によってもあまり変化を示さない。大腸井穴（下顎）も咬合変化による変化は少ないが、基線が−０．１８Ｖ近辺にあり、図１８を見ると、胃経（上顎）は＋０．３５Ｖ近辺にある。
【００５１】
総合判定としては、上顎，下顎共に咬合にずれがあるが、それが長年の習慣となって、顎関節には咬合異常がそれほどには見られないと思われる。
【００５２】
以上は、電位差計の出力データおよび／またはｔ−検定による咬合の正常・異常の診断であった。
【００５３】
次に、顎関節の３次元解析と診断について説明する。左聴宮に＋側電極２を、右聴宮に−側電極４を取り付ける。下顎を上下，左右，前後に動かして、顎関節の動きをＸＹＺの３次元座標で解析する。左右方向をＸ軸、上下方向をＹ軸、前後方向をＺ軸とする。顎関節とそれを動かす周囲の筋肉の状況は、聴宮で見られる。なお、このような座標解析は、パーソナルコンピュータ２０にインストールされたプログラムにより実現される。
【００５４】
以下、一例の咬合の変化に対応して説明する。
（Ａ）噛みしめる
左＋側電極で緊張が生じる。両電極間で負電位が生じる。これは、左顎関節が常時開く方向にある。従って、噛みしめる方向で緊張が生じる。電位は緊張する側で負となる。左顎関節で負となれば両電極間で負電位変化−Ａ（ｃｌ）、右顎関節で負となれば両電極間で正電位変化＋Ａ（ｃｌ）変化となる。
【００５５】
この、負，正の電位変化値をＹ軸にとる。図１９は、その電位変化値をＹ軸に示した３次元座標を表す。
（Ｂ）口を大きく開ける
左右の何れかの顎関節とその周囲の筋肉に緊張が生じる。これは顎関節が常時、閉まる方向に慣れているのが、開けたので緊張が生じた。
【００５６】
左側緊張の場合は左顎関節が常時閉まる方向にあったのが、開けたので左側顎関節に緊張が生じた。左右電位差は正電位変化−Ｂ（０）、右側緊張の場合は右顎関節が閉める方向にあったのが、開けたので右顎関節に緊張が生じ、左右電位差は正電位変化＋Ｂ（０）となる。この電位変化値をＹ軸にとる。図２０は、その電位変化値をＹ軸に示した３次元座標を表す。
（Ｃ）下顎を左にずらす
左に緊張が生じた場合、右に常時ずれていたのが、反対側の左に咬合変化が生じて緊張する。左に緊張の場合は、−電位が生じると、左右電極間の電位差は負電位変化−Ａ（Ｌ）となる。右に緊張は正電位変化＋Ａ（Ｌ）となる。この電流変化値をＸ軸にとる。図２１は、その電位変化値をＸ軸に示した３次元座標を表す。
（Ｄ）下顎を右にずらす
右に緊張が生じた場合、左に常時ずれていたのが、反対側の右にずらして緊張が生じた。電位差変化は正電位変化＋Ｂ（Ｒ）となる。左に緊張が生じた場合常に右にずれていたのが、反対に下顎を動かして緊張する。電位差は負位変化−Ｂ（Ｒ）となる。この電位変化値をＸ軸にとる。図２２は、その電位変化値をＸ軸に示した３次元座標を表す。
（Ｅ）下顎を前にずらす
左に緊張が生じれば常時、顎関節は左後ろにずれていた。電位差は負電位変化−Ａ（Ｆ）となる。右に緊張が生じれば常時、顎関節は右後ろにずれていた。電位変化は正電位変化＋Ａ（Ｆ）となる。この電位変化をＺ軸にとる。図２３は、その電位変化値をＺ軸に示した３次元座標を表す。
（Ｆ）下顎を後ろへずらす
左に緊張が生じれば、顎関節は常時、前左にずれていた。電位差は負電位変化−Ｂ（Ｂ）となる。右に緊張が生じれば、顎関節は常時、前右にずれていた。電位差は正電位変化＋Ｂ（Ｂ）となる。この電位変化をＺ軸にとる。図２４は、その電位変化値をＺ軸に示した３次元座標を表す。
【００５７】
以上は、１つの咬合変化についての電位変化値を３次元座標に示した。次に、複雑な咬合をした場合の実例を述べる。
【００５８】
下顎が左後ろへずれて常時噛みしめる場合、口を開けて下顎を下げると左顎関節に緊張、下顎を前へずらすと左に緊張、下顎を右にずらすと左に緊張して、それぞれに図２５に示すように負電位変化が生じる。これを３次元座標に記すと、図２６に示すようになる。
【００５９】
（ｘ，ｙ，ｚ）＝（−４５ｍＶ，−４８ｍＶ，−３２ｍＶ）の位置に左顎関節が位置する状態を示している。
【００６０】
【発明の効果】
本発明によれば、左右聴宮，左右胃経，左右大腸経の各電位差の変化から、咬合の異常・正常を、正確に診断することが可能になった。
【図面の簡単な説明】
【図１】聴宮の位置を示す図である。
【図２】胃経および大腸経の位置を示す図である。
【図３】胃経のＢＰ値の変化を示すグラフである。
【図４】大腸経のＢＰ値の変化を示すグラフである。
【図５】咬合診断装置の基本的構成を示すブロック図である。
【図６】咬合診断装置の回路を示す図である。
【図７】被験者Ｂの咬合診断装置の出力波形を示す図である。
【図８】被験者Ｇの咬合診断装置の出力波形を示す図である。
【図９】被験者Ｇの咬合診断装置の出力に基づいて、有意差を見るためのｔ−検定の結果を示す図である。
【図１０】被験者Ａの咬合診断装置の出力波形を示す図である。
【図１１】表として取り出されたデータを示す図である。
【図１２】被験者Ｉの咬合診断装置の出力波形を示す図である。
【図１３】被験者Ｉの咬合診断装置の出力波形を示す図である。
【図１４】被験者Ｋの咬合診断装置の出力波形を示す図である。
【図１５】被験者Ｋのｔ−検定のデータを示す図である。
【図１６】被験者Ｌの咬合診断装置の出力波形を示す図である。
【図１７】被験者Ｈの咬合診断装置の出力波形を示す図である。
【図１８】被験者Ｈの咬合診断装置の出力波形を示す図である。
【図１９】電位変化値を３次元座標に示す図である。
【図２０】電位変化値を３次元座標に示す図である。
【図２１】電位変化値を３次元座標に示す図である。
【図２２】電位変化値を３次元座標に示す図である。
【図２３】電位変化値を３次元座標に示す図である。
【図２４】電位変化値を３次元座標に示す図である。
【図２５】咬合診断装置の出力波形を示す図である。
【図２６】３次元座標における右顎関節位置を示す図である。
【符号の説明】
２  ＋側電極
４  −側電極
６  アース電極
８  電位差計
１０  高インピーダンスアンプ
１２  差動アンプ
１４  絶縁アンプ
１６  ローパスフィルタ
１８  Ａ／Ｄコンバータ
２０  パーソナルコンピュータ
【図１】
0003701586.tif 000005
【図２】
0003701586.tif 000006
【図３】
0003701586.tif 000007
【図４】
0003701586.tif 000008
【図５】
0003701586.tif 000009
【図６】
0003701586.tif 000010
【図７】
0003701586.tif 000011
【図８】
0003701586.tif 000012
【図９】
0003701586.tif 000013
【図１０】
0003701586.tif 000014
【図１１】
0003701586.tif 000015
【図１２】
0003701586.tif 000016
【図１３】
0003701586.tif 000017
【図１４】
0003701586.tif 000018
【図１５】
0003701586.tif 000019
【図１６】
0003701586.tif 000020
【図１７】
0003701586.tif 000021
【図１８】
0003701586.tif 000022
【図１９】
0003701586.tif 000023
【図２０】
0003701586.tif 000024
【図２１】
0003701586.tif 000025
【図２２】
0003701586.tif 000026
【図２３】
0003701586.tif 000027
【図２４】
0003701586.tif 000028
【図２５】
0003701586.tif 000029
【図２６】
0003701586.tif 000030